(57)【要約】【課題】２つ以上のルーメンを持つカテーテルにおいて、カテーテル先端とガイドワイヤーの段差が小さくなり、カテーテルを体内に挿入する際の抵抗を少なくし、容易に挿入することができるカテーテルを提供する。【解決手段】２つ以上のルーメンを持ち、先端部に先端側に縮径するテーパー部分を有するカテーテルであって、少なくとも１つのルーメンが先端で開口している開口ルーメンと、先端部で閉塞している閉塞ルーメンを有し、前記開口ルーメンの中心軸が、開口部近傍では前記カテーテルの中心軸と略一致しており、開口ルーメンの中心軸が、開口部近傍以外ではカテーテルの中心軸と一致しないことを特徴としたカテーテル。【選択図】図２
2005087264.tif 000002
【特許請求の範囲】
【請求項１】
２つ以上のルーメンを有し、先端部において先端側に縮径するテーパー部分を有するカテーテルであって、少なくとも１つのルーメンが前記カテーテルの先端で開口している開口ルーメンと、前記カテーテルの先端部で閉塞している閉塞ルーメンを有し、前記開口部近傍において前記開口ルーメンの中心軸が、前記カテーテルの中心軸とほぼ一致していることを特徴とするカテーテル。
【請求項２】
前記開口ルーメンの中心軸が、前記開口部近傍以外では前記カテーテルの中心軸と一致していない請求項１記載のカテーテル
【請求項３】
前記テーパー部分の先端側にストレート部分を有する請求項１又は２記載のカテーテル。
【請求項４】
前記ストレート部分は、１ルーメンである請求項１〜３いずれか記載のカテーテル。
【発明の詳細な説明】
【技術分野】
【０００１】
本発明はカテーテルに関するものである。
【背景技術】
【０００２】
カテーテルは様々な用途で利用され、その形状は使用される目的、症例、体の部位によって様々である。カテーテルには、内腔が２つ以上あるマルチルーメンチューブも存在し、最も利用されているのは２ルーメンチューブであり、主にバルーンカテーテル用のカテーテルチューブとして用いられている。
カテーテルを体内に留置する際には、一般的にはガイドワイヤーをまず体内に留置し、そのガイドワイヤーに沿わせてカテーテルを体内に挿入していく場合が多い。この際、ガイドワイヤーの外径とカテーテル先端部の外径の差、即ちガイドワイヤーとカテーテル先端の段差が大きいと、カテーテルを挿入する際の挿入抵抗を大きくする要因となるので、一般的にカテーテル先端は、テーパー状に形成され、挿入しやすいように加工されている。
【０００３】
テーパー加工は、チューブ先端を研磨したり、溶剤によって溶かす方法が多用されている。
【０００４】
しかし、ルーメンが複数あるマルチルーメンチューブからなるカテーテルで、そのうちの一つのルーメンがカテーテル先端で開口しているカテーテル、例えばバルーンルーメンとメインルーメンの２つのルーメンを持ち、メインルーメンは、カテーテル先端で開口しているバルーンカテーテルにおいてもその先端は上記の方法によってテーパー加工されているが、バルーンルーメンは樹脂や接着剤等で閉塞されているため、バルーンルーメン側のカテーテル先端部とガイドワイヤーとの段差が大きくなり、バルーンカテーテル挿入時の抵抗を大きくしている要因の一つとなっている。
【発明の開示】
【発明が解決しようとする課題】
【０００５】
本発明は、上記問題点を解決することを目的とし、ガイドワイヤーに沿わせて体内に容易に挿入できるマルチルーメンチューブからなるカテーテルを提供することである。
【課題を解決するための手段】
【０００６】
即ち本発明は、
（１）２つ以上のルーメンを有し、先端部において先端側に縮径するテーパー部分を有するカテーテルであって、少なくとも１つのルーメンが前記カテーテルの先端で開口している開口ルーメンと、前記カテーテルの先端部で閉塞している閉塞ルーメンを有し、前記開口部近傍における前記開口ルーメンの中心軸が、前記カテーテルの中心軸とほぼ一致していることを特徴とするカテーテル、
（２）前記開口ルーメンの中心軸が、前記開口部近傍以外では前記カテーテルの中心軸と一致していない（１）記載のカテーテル、
（３）前記テーパー部分の先端側にストレート部分を有する（１）又は（２）記載のカテーテル。
（４）前記ストレート部分は、１ルーメンである（１）〜（３）いずれか記載のカテーテル、
である。
【発明の効果】
【０００７】
本発明により、カテーテル先端とガイドワイヤーの段差を小さくできることから、カテーテルを体内に挿入する際の抵抗が少なくなり、容易に挿入することができる。
【発明を実施するための最良の形態】
【０００８】
図１は本発明の実施例であるバルーンカテーテル（１）の外観を示すものである。
【０００９】
図２にこのバルーンカテーテル（１）の先端部分の拡大断面図を示す（実施例１）。バルーンカテーテル（１）は、開口ルーメン（２）およびバルーンルーメン（３）の２つのルーメンを持つカテーテルチューブ（４）、バルーン（５）、分岐コネクター（６）、分岐チューブ（７）、気道チューブ（８）、コネクター（９）、一方弁（１０）からなる。カテーテルチューブ（４）は外径φ１〜２０ｍｍ、全長５０〜５０００ｍｍであり、熱可塑性樹脂、シリコーン樹脂等からなり、好ましくはポリ塩化ビニル、熱可塑性ウレタンエラストマー、スチレン−エチレン−ブタジエン−スチレン共重合体からなり、その先端部（１１）は先端に向かって縮径するテーパー形状をなしている。
【００１０】
カテーテル先端部の外径は共に使用するガイドワイヤーの外径によってφ０．３〜２．０の範囲で適当と思われる寸法を採用する。開口ルーメン（２）は内径φ０．１〜１５ｍｍの略円形状であり、その先端はカテーテルチューブ（４）の先端で開口している。開口ルーメン（２）の開口部の中心軸は、カテーテルチューブ（４）の中心軸に一致している。バルーンルーメン（３）は、内径φ０．０１〜１０ｍｍの略円形状であり、カテーテルチューブ（４）の先端部（１１）で溶融閉塞しており、テーパー部にはバルーンルーメン（３）は存在しない。バルーンルーメンを樹脂や接着剤等で閉塞しておらず、溶融閉塞しているため、テーパー部分外面がスムーズであり、挿入時の抵抗を小さくできる。バルーンルーメン（３）はカテーテルチューブ（４）の側方に開口部を持ち、バルーン（５）を膨張させるとき、この開口部から空気、滅菌蒸留水等の流体が出入りする。
【００１１】
カテーテルチューブ（４）のバルーン（５）を取り付ける場所は、外径がその他の部分と比較して縮小されており、バルーン（５）が取り付けられたとき、カテーテルチューブ（４）の外径とバルーン（５）の外径がほぼ同一となるようになっている。
【００１２】
バルーン（５）は、外径φ１〜２０ｍｍ、全長３〜５０ｍｍであり、天然ゴム、ポリイソプレーン、シリコーン樹脂または熱可塑性樹脂からなる。カテーテルチューブ（４）とバルーン（５）は、糸、接着剤等で固定されている。バルーン（５）の先端は、テーパー状に加工されているか、テーパー状の部材が取り付けられ、カテーテルチューブとの段差を無くしている。
【００１３】
分岐コネクター（６）は、全長１０〜１００であり、熱可塑性樹脂、シリコーン樹脂等からなり、カテーテルチューブ（４）、分岐チューブ（７）、気道チューブ（８）を接続している。分岐チューブ（７）は、外径φ１〜１０ｍｍ、全長１０〜２００ｍｍであり、熱可塑性樹脂、シリコーン樹脂等からなる。気道チューブ（８）は、外径φ１〜１０ｍｍ、全長１０〜２００ｍｍであり熱可塑性樹脂、シリコーン樹脂等からなる。
【００１４】
コネクター（９）は、全長１０〜５０ｍｍであり、熱可塑性樹脂からなり、分岐チューブ（７）に接着剤等で接続されている。一方弁（１０）は、全長１０〜５０ｍｍであり、気道チューブ（８）に接着剤等で接続されている。
【００１５】
図３に、本発明の別の実施例であるバルーンカテーテル（１）先端部の拡大断面図を示す（実施例２）。本実施例は、カテーテルの最先端の開口部はは１ルーメンであり、テーパ−部分は先端より離れて存在し、バルーンルーメンはテーパ−部分で溶融閉塞している。
【００１６】
図４は、比較例として従来のバルーンカテーテル（１）の先端部の概略を示すものである。バルーンルーメン（３）の先端は、カテーテルチューブ（４）の先端部（１１）に存在しており、シリコーン樹脂、ウレタン樹脂等の樹脂を注入することにより閉塞されており、開口部におけるメインルーメン内径とカテーテル先端部外径との段差が大きい。また、開口ルーメン（２）の先端開口部の中心軸は、カテーテルチューブ（４）の中心軸と一致していない。
【００１７】
比較例のバルーンカテーテル（１）をガイドワイヤーに沿わせて体内に留置するとき、バルーンルーメン側のカテーテル先端部とガイドワイヤーとの段差が大きく、挿入するときに大きな抵抗となってしまう。
【００１８】
しかし、本発明の一実施例である実施例１では、バルーンカテーテル（１）をガイドワイヤーに沿わせて体内へ挿入するとき、開口ルーメン（２）の開口部の中心軸がバルーンカテーテル（１）の中心軸（＝カテーテルチューブ（４）の中心軸）に一致しており、バルーンカテーテル（１）の先端の外径とガイドワイヤーの外径の差が小さいため、段差が小さく、挿入抵抗を低く抑えることができる。更に実施例２では、先端にテーパ−部が存在しないため、ガイドワイヤー外径との段差が更に小さくすることができ好ましい。
【産業上の利用可能性】
【００１９】
カテーテル先端とガイドワイヤーの段差が小さいため、カテーテル挿入をより容易に行うことができ、より狭い管路に対してもカテーテルを挿入することが可能となる。
【図面の簡単な説明】
【００２０】
【図１】本発明の一実施例となるバルーンカテーテルの外観図
【図２】本発明の一実施例（実施例１）となるバルーンカテーテルの先端部拡大断面図
【図３】本発明の別の実施例（実施例２）となるバルーンカテーテルの先端部拡大断面図
【図４】比較例の先端部拡大断面図
【符号の説明】
【００２１】
１．バルーンカテーテル
２．開口ルーメン
３．バルーンルーメン
４．カテーテルチューブ
５．バルーン
６．分岐コネクター
７．分岐チューブ
８．気道チューブ
９．コネクター
１０．一方弁
１１．カテーテルチューブ先端部
【図１】
2005087264.tif 000003
【図２】
2005087264.tif 000004
【図３】
2005087264.tif 000005
【図４】
2005087264.tif 000006